(57)【要約】【課題】従来、昼の風景から夜の風景へ変化させるようなディスプレイ装置は、製造工程が複雑だったり、写真のようなリアルな夜景に変化させらないものだったり、特殊な印刷やライトを要するものであった。【解決手段】同一地点および同アングルで撮影した昼夜の風景写真を、透かした際に風景の図柄が同一に重なるように、半透明なシートの１枚の表裏に印刷したもの（７）を、内部光源（９）を配した装置（８）の前方に設置する。周囲が明るく装置内光源（９）の消灯時には表面の昼の風景が視認され、周囲が暗く装置内光源（９）が点灯時には裏面の夜景が透けて視認される。これにより非常に簡単な構造で、昼の風景写真から夜の風景写真などへ変化させるディスプレイ装置を安価に作ることが可能となる。【選択図】  図３
2009128734.tif 000002
【特許請求の範囲】
【請求項１】
１枚あるいは複数の透明か半透明のシートと該シートの前方あるいは後方または両方に設置した光源からなるディスプレイ装置であって、前記シートの１枚の表裏あるいは複数には、それぞれ色彩の異なる同形の図柄を全面または一部分に施した映像が表示されていることを特徴とするディスプレイ装置。
【請求項２】
前記シートの１枚の表裏あるいは複数には、同一地点および同アングルで撮影した時刻や季節の異なる情景の写真あるいはそれと同等の絵やＣＧを、透かした際に風景の図柄が同一に重なるように、全面または一部分に表示されていることを特徴とする請求項１記載のディスプレイ装置。
【発明の詳細な説明】
【技術分野】
【０００１】
この発明は、昼の風景写真を夜の風景写真へ変化させるなど、色彩の異なる同形の図柄の映像の表示を簡単な構造で変化させることを可能とするディスプレイ装置に関するものである。
【背景技術】
【０００２】
従来、昼の風景写真を夜の風景写真へ変化させるなどのディスプレイ装置にはコンピュータなどを使ったものや、風景写真などの上に蛍光インクや発光インクで夜景などを重ねて印刷した印刷物にブラックライトやブルーライトを当てて発光させるもの、あるいはモーターを使用しシートを巻き取ることで異なる図柄を表示するもの、また写真の図柄に合わせて傷をつけた透明樹脂板のサイド面から入れた光で傷を光らせ夜景を演出させるものなどはあった。
【特許文献１】特開平９−４３５３３号公報
【発明の開示】
【発明が解決しようとする課題】
【０００３】
しかしながらコンピュータを使用すると大変高価な装置になり、蛍光インクや発光インクを印刷するのは汎用のプリンターでは無理であり、モータなどでシートを巻き取ったり傷の入った透明樹脂板と一体構造だとシートのみの交換が簡単にはできなかった。
【課題を解決するための手段】
【０００４】
透明か半透明のシート１枚の表裏あるいは複数のシートにそれぞれ、例えば同一地点および同アングルで撮影した時刻や季節の異なる情景の写真あるいはそれと同等の絵やＣＧなど、色彩の異なる同形の図柄を、透かした際に図柄が同一に重なるように全面または一部に表示したものの前方あるいは後方または両方に光源を設置する。
【発明の効果】
【０００５】
本発明はコンピュータなどの高価な部品は必要とせず、また光源の種類にも依存しないことから安価に製作できる。
【０００６】
本発明に使用するシートを印刷する場合、蛍光インクや発光インクを必要とせずに汎用のプリンターなどで可能である。
【０００７】
本発明はシートと一体化されたモーターなどの駆動部が必要なく、シートの交換が容易に出来るように製作できる。
【０００８】
本発明は、実際に撮影された昼夜の風景写真などをそのまま利用することが出来て、従来のコンピュータなど高価なものを使わないディスプレイ装置と比べると、大変リアルに写真を変化させられる。また同時にこの場合は、シートを作製するのに準備するのは写真だけでよいこととなる。
【０００９】
使用するシートの素材は紙やプラスティック・ガラスなど光を遮断しないものであれば何でも使え、またその印刷時にも特殊な印刷方法は必要としない。
【００１０】
本発明は、基本構造がシートと光源だけであり、シートや光源の種類も特定のものでなくてよく、製品化する際に形や大きさ・重量・厚み等幅広い自由度が持て、机に置く小さなサイズから、ビルの壁にかける大きいサイズの物まで製作できる。
【発明を実施するための最良の形態】
【００１１】
基本的な最良の形態は、内部後方に光源（図１-３、図２-６、図３-９）を設置し、正面（図１、図２、図３の左側）を開放した箱（図１-２、図２-５、図３-８）と、その開放部に設置したシート（図１-１、図２-４、図３-７）からなる。
【００１２】
映像が変化する原理を、１枚のシートの表裏にそれぞれ印刷された昼夜の風景写真で説明すると次のとおりとなる。半透明のシートの表と裏に、図４に示すように同じ位置から同アングルで撮影された、昼の風景（１０）と夜の風景（１１）を透かした際に図柄が同一に重なるように印刷する。ただし、この例のように１枚のシートの表裏に印刷する場合は、当然夜の風景（１１）は左右逆にしなくてはいけない。周囲が明るいところで装置内光源を消すと、装置には図５のように表の図柄（１３）に周囲からの光（１２）だけが当たり表側の昼の風景（１４）だけが見え、その際裏側に印刷された夜の風景は当然暗くて見えない。逆に周囲が暗いときに図６のように装置内部の光源の光（１５）を写真が印刷された半透明のシート（１６）に後方から当てると、裏側の夜の風景の図柄（１７）が透けて可視状態になる。ただし、その際に表側の図柄は完全に見えなくなるわけではなく、厳密には夜の風景に重なって幾分見えることとなるので、特に意図的にズレを演出しない限りは、昼と夜の風景写真を図柄は透かした際に同一に重なるように印刷する必要がある。
【実施例１】
【００１３】
図７のように、前面に設けた透明板（１９）を開閉できるようにするなどして、シート（１８）を容易に交換できるようにすれば、多様なニーズに合わせたシートの交換を装置のハード面に頼らず容易にできる。
【実施例２】
【００１４】
シートに印刷する、時刻や季節の異なる情景の写真あるいはそれと同等の絵やＣＧとは、例えば昼夜や朝夕などの時刻の違う情景や緑の葉と紅葉や雪山と夏山など季節の違う情景を指すが、例えば白黒写真とカラー写真や部分的に色を変えた絵などでも変化を楽しめる。
ただし複数のシートに印刷する際は手前のシート、１枚の表裏に印刷する場合はシートの表側の映像が、奥のシートや裏側より濃かったり暗い部分が多い場合は、光が透過しにくい場所も増えるので、意図的でなければ避けたほうがよい。
【実施例３】
【００１５】
シートへの映像の表示は印刷や塗装のほか、カッティングシートなどの薄い色付きシートを重ねて貼っていっても同様の効果をだせる。
【実施例４】
【００１６】
シートは、例えばガラス板や樹脂板のような板状のものでも構わない。
【実施例５】
【００１７】
シートは全ての色を再現しやすい乳白色の半透明シートが基本となるが、あえて全面あるいは一部を色付きの半透明にしたり、色のあるなしとは別に透明にしたりして違った効果を出すことも可能である。
【実施例６】
【００１８】
図８のように表側の図柄（２０）にはない文字等を入れた裏側の図柄（２１）を使用し、周囲の暗いところで図９のようにそのシート（２３）の後方から装置内光源の光（２２）を当てると、表の図柄にはない文字等を浮かび上がらせることもできる（２４）。
逆に表の風景にのみ入った文字等と重なる部分の裏の色を変えておけば、後方から光を当てたときにその文字等の色を変えたり、また裏の同一部分を黒色にすることで文字等を消すことも可能である。
【００１９】
これらのことは文字に限らず、天使や龍、妖怪などのイラストなどを使用してもまた違った演出効果を出すこともできる。
またこれを応用すれば、人物は変化しないで風景だけが昼から夜へ変わるディスプレイ装置も作れる。例えば昼の撮影時に人物も入れて撮り、裏の夜景に昼に撮影した写真の人物部分だけを同じ位置にそのまま合成する。すると人物以外の風景が夜景に変わった際も、人物部分だけは変化せずに明るく見えることとなる。裏の人物部分は同じ形に白く色を抜いても同様の効果は出せる。また人物を昼間に風景とともに撮影せずに、別の写真から合成してもよい。
【実施例７】
【００２０】
装置内部の照明を白色ではなく色付きの照明にしたり、あるいは複数の色の照明をおくこともできる。例えば赤色と白色の光源を設置し、先に赤色の照明を点灯させ夕焼けを演出したのち、白色のみ点灯させて夜景にするとかができる。
【実施例８】
【００２１】
基本的に前方からの光は部屋の明かりや太陽光など周囲の明かりでよいが、それらに十分の光量が期待できない場合は、図１０のように装置の前方に光源（２５）を設けてやれば解決できる。
【実施例９】
【００２２】
装置内部の光源の種類は蛍光灯・ＬＥＤ・陰極管・ＥＬ板・自然光など何でもよく、導光板などと組み合わせればとても薄い装置もできる。
【実施例１０】
【００２３】
図１１にしめすように、外箱（２８）の中に内箱（２９）を設けそれぞれの箱の前面を開放し、外箱（２８）の開いた面には透明スモーク板（２６）を、内箱の開いた面には表裏に図柄を印刷したシート（３０）を設置する。
【００２４】
光源を２種類用意し、１種類の光源（３１）は内箱の中にバックライトとして設置し、もう１種類の光源（２７）は図柄のシート（３０）を前から照らせてかつ図柄の視認に邪魔にならない位置にフロントライトとして外箱（２８）内に設置する。
【００２５】
シートの表の図柄を視認させるときは、図１２にしめすように、内箱内バックライトを消し外箱内フロントライトを点灯させることで、フロントライトの光（３２）はシートの前面に当たり、その反射光（３３）だけがスモーク板を通過することで、シートの前面だけが見えることになる。
【００２６】
逆に裏側の図柄を視認させるときは、図１３にしめすように、外箱内フロントライトを消し内箱内バックライトを点灯させることでバックライトの光（３４）がシートを後方から通過し、裏の図柄の映像（３３）がスモーク板を通して見えるようになる。その際、周囲の光は装置前面に設置したスモーク版に遮られ、シート表側の図柄はほとんど見えなくなる。
【００２７】
これにより周囲の明るさに左右されることなく、表裏の図柄のどちらでも見せることができる装置を作ることができる。したがってこの原理を利用すれば、明るい部屋の中でも、部屋を暗くすることなく昼・夜の景色を切り替えて楽しむことができる。
なお、スモーク板は色の付いた透明板やハーフミラーなどでも代用できる。
【実施例１１】
【００２８】
図１４にしめすように、シート（３６）と装置内の光源（３７）の間に薄い透明板（３８）を設け、その透明板に横から別の光源（３９）からの光を入れる。横から入った光（４０）は透明板の中を全反射しながら進むために、透明板に傷（４１）があったり、あるいは透明板に微細な凹凸のある別のシートを密着させるなどしない限り光が途中で漏れることはない。
【００２９】
逆に言えば透明板にあらかじめ傷や微細な凹凸のあるシートを貼っておけば、その場所だけを光らせて（４２）前方から視認させることができる。一方装置内光源（３７）からの光（４３）は、傷などの有無に関わらず透明板をそのまま前方に通過する。
【００３０】
新たに設けた光源（３９）の色を変えたり点滅させたりすれば、表裏の図柄を変化させるのと同時に図柄の一部を点滅させたり色を変化させたりするようなことも可能となる。例えば昼の景色から夜景に変化したした際に、ビルの航空標識等の部分だけを赤色で点滅させることなどが可能となる。
【実施例１２】
【００３１】
観賞魚などの水槽の後ろに設置し、水槽の電灯の点灯消灯に装置内光源を連動させると、水槽を通して見える景色を変化させることも可能で複合的なディスプレイ装置への発展ができる。
【実施例１３】
【００３２】
立体物の表裏に異なる図柄を貼ったり印刷したりまたは直接描くなどして、中に光源を設けることで、立体的なディスプレイ装置にも応用が可能となる。
【実施例１４】
【００３３】
防水処理を施すなどすれば、観光用看板の現地風景写真を昼の景色から夜景へ変えるなど、看板などにも利用できる。
【実施例１５】
【００３４】
基本構造の光源を逆転させ、バックライトに太陽光など装置外の光を利用し、その光が途絶えたときにかまたははるかに強力な光源を前方に設置することで、同様の効果が得られる。
【図面の簡単な説明】
【００３５】
【図１】本装置の側面図
【図２】本装置の斜視図
【図３】本装置の分解図
【図４】表裏に印刷する図柄
【図５】前方からの光で表の図柄が視認できる説明図
【図６】後方からの光で裏の図柄が視認できる説明図
【図７】シートの取替えを容易にする装置の説明図
【図８】表裏で文字などの異なった図柄を描く例の図
【図９】裏の文字などが視認できる説明図
【図１０】前方に新たに照明を設置した場合の図
【図１１】周囲の明るさに依存しない装置の説明図
【図１２】周囲の明るさに依存しない装置で表の図柄が視認できる説明図
【図１３】周囲の明るさに依存しない装置で裏の図柄が視認できる説明図
【図１４】傷などを入れた透明板を新たに設置した装置の説明図
【符号の説明】
【００３６】
１  表裏に昼夜の景色を印刷した半透明のシート
２  正面（図面左側）以外には遮光した容器（箱）
３  内部光源（バックライト）
４  表裏に昼夜の景色を印刷した半透明のシート
５  正面（図面左側）以外には遮光した容器（箱）
６  内部光源（バックライト）
７  表裏に昼夜の景色を印刷した半透明のシート
８  正面（図面左側）以外には遮光した容器（箱）
９  内部光源（バックライト）
１０  半透明のシートの表に印刷された昼の風景の例
１１  半透明のシートの裏に左右逆に印刷された夜の風景の例
１２  正面に当たる、周囲からの光（外光）
１３  表裏に昼夜の景色を印刷した半透明のシート
１４  周囲から正面に光が当たった場合に装置正面から視認できる表の昼の図柄
１５  装置内部の光源からの光
１６  表裏に昼夜の景色を印刷した半透明のシート
１７  装置内部の光源からの光が当たった場合に正面から視認できる裏の夜の図柄
１８  表裏に昼夜の景色を印刷した半透明のシート
１９  開閉できるようにされた透明板
２０  半透明のシートの表に印刷された昼の風景の例
２１  裏に印刷された夜の風景に、表にはない文字を入れた例
２２  装置内部の光源からの光
２３  表裏に昼夜の景色を印刷した半透明のシート
２４  装置内部の光源からの光が当たった場合に、夜の図柄に浮かび上がる文字
２５  装置前方に設置した照明
２６  透明なスモーク板
２７  前方用光源
２８  外箱
２９  内箱
３０  表裏に昼夜の景色を印刷した半透明のシート
３１  後方用光源（バックライト）
３２  装置内前側光源（フロントライト）の光
３３  表側の図柄で反射した装置内前側光源（フロントライト）の光
３４  装置内後側光源（バックライト）の光
３５  図柄のシートを裏から透過した装置内後側光源（バックライト）の光
３６  表裏に昼夜の景色を印刷した半透明のシート
３７  後方用光源（バックライト）
３８  薄い透明板
３９  透明板用光源
４０  透明板をサイドから素通りする光
４１  透明板に付けられた傷
４２  傷から出る光
４３  透明板を素通りする後方からの光
【図１】
2009128734.tif 000003
【図２】
2009128734.tif 000004
【図３】
2009128734.tif 000005
【図４】
2009128734.tif 000006
【図５】
2009128734.tif 000007
【図６】
2009128734.tif 000008
【図７】
2009128734.tif 000009
【図８】
2009128734.tif 000010
【図９】
2009128734.tif 000011
【図１０】
2009128734.tif 000012
【図１１】
2009128734.tif 000013
【図１２】
2009128734.tif 000014
【図１３】
2009128734.tif 000015
【図１４】
2009128734.tif 000016